(57)【特許請求の範囲】
【請求項１】
筒状のケーシング内のホース接続側に流体圧によりホース接続側に移動可能な筒状のニップルを摺動自在に収容し、該ニップルの外周側にホース挿入空間を介して、該ホース挿入空間に挿入されたホースを緊締する縮径可能な筒状のコレットを配置し、該コレットと前記ケーシングの内周面との間に前記コレットを押圧する変形可能な弾性部材を介設し、該弾性部材を収容する空間部を前記ニップルが流体圧によりホース接続側に移動した際に、前記弾性部材が前記コレットを押圧する押圧力を増大させる形状にしたホース用継手。
【請求項２】
前記ニップルを第一筒状部と該第一筒状部よりホース接続側で外径が小さい第二筒状部との間に鍔部を突設した構成にし、前記ケーシングのニップルを収容する収容空間部を前記第一筒状部が摺動可能な第一収容部と、該第一収容部より径が大きく前記鍔部を移動可能に収容する鍔部収容部と、該鍔部収容部より径が小さく前記第二筒状部を移動可能に収容する第二収容部とから構成し、前記鍔部に隣接して前記第二筒状部の外周側に前記ホース挿入空間を介して前記コレットを配置し、該コレットの外周側に筒状の前記弾性部材を設けた請求項１に記載のホース用継手。
【請求項３】
前記鍔部収容部と前記第二収容部との間に傾斜収容部を設け、前記弾性部材を前記鍔部収容部から前記第二収容部にわたって配置する請求項２に記載のホース用継手。
【請求項４】
前記弾性部材がゴムからなる請求項１，２または３に記載のホース用継手。
【請求項５】
前記弾性部材が断面Ｕ字またはＶ字状の板バネ部材からなる請求項１，２または３に記載のホース用継手。
【発明の詳細な説明】
【０００１】
【発明の属する技術分野】
本発明は、ホース用継手に関し、更に詳しくは、流体圧力が低い状態で使用しても流体漏れの心配がなく、また圧力流体が断続的に流れる場合であってもホース外面に損傷を招かないようにしたホース用継手に関する。
【０００２】
【従来の技術】
例えば、特開平１─２２９１９４号公報に、コレットを縮径させることによりホースを筒状のニップルに緊締するようにしたホース接続構造が開示されている。この接続構造では、ホース接続時に流体圧によりニップルがホース接続側に移動した際に、ニップルと共に移動するコレットがコレット外周側に配設されたスリーブに次第に押圧されて縮径し、ニップルに取り付けられたホースを緊締するようになっている。このような流体圧を利用する構造の採用により、ホースを容易に装着することができる利点がある。
【０００３】
しかしながら、その反面、流体圧力が低い状態で使用する場合には、ニップルが流体圧によりホース接続側に十分移動しないため、スリーブによる押圧力がコレットに十分作用せず、その結果、緊締力不足によりホース接続部分に流体漏れを起こす危険がある。また、圧力流体が断続的に流れる場合には、流体圧の作用、不作用のたびにニップルが移動してコレットが拡縮を繰り返すため、コレットが緊締するホース外面に損傷を招き易くなる。
【０００４】
【発明が解決しようとする課題】
本発明の目的は、流体圧力が低い状態で使用しても流体漏れの心配がなく、また圧力流体が断続的に流れる場合であってもホース外面に損傷を招くことがないホース用継手を提供することにある。
【０００５】
【課題を解決するための手段】
上記目的を達成する本発明は、筒状のケーシング内のホース接続側に流体圧によりホース接続側に移動可能な筒状のニップルを摺動自在に収容し、該ニップルの外周側にホース挿入空間を介して、該ホース挿入空間に挿入されたホースを緊締する縮径可能な筒状のコレットを配置し、該コレットと前記ケーシングの内周面との間に前記コレットを押圧する変形可能な弾性部材を介設し、該弾性部材を収容する空間部を前記ニップルが流体圧によりホース接続側に移動した際に、前記弾性部材が前記コレットを押圧する押圧力を増大させる形状にしたことを特徴とする。
【０００６】
このようにホースを緊締するコレットとケーシングとの間にコレットを押圧する変形可能な弾性部材を配置したので、ニップルが移動しないような流体圧力の低い状態で使用しても、弾性部材により押圧されて縮径するコレットによりホースを保持することができる。従って、ホース接続部分から流体漏れを起こす心配がない。
【０００７】
また、弾性部材を収容する空間部をニップル移動時に弾性部材の押圧力を増大させる形状にするため、ニップルがホース接続側に移動した際に、押圧力を増大させた弾性部材により縮径したコレットを介してホースをニップルに緊締することができる。このようにホースを緊締した弾性部材は、圧力流体が断の状態になってもコレットの押圧を維持して元の状態に戻ることがないため、圧力流体が断続的に流れてもニップルが移動することがない。従って、流体圧の作用、不作用時にコレットが拡縮しないので、コレットの拡縮に起因するホース外面の損傷を回避することができる。
【０００８】
【発明の実施の形態】
以下、本発明の構成について添付の図面を参照しながら詳細に説明する。
【０００９】
図１は、本発明のホース用継手の一例を示し、このホース用継手は、円筒状のヘッド部１Ａのホース接続側に円筒状のソケット１Ｂを加締め固定したケーシング１を備えている。この円筒状に形成されたケーシング１内のホース接続側の収容空間部１１には、流体圧によりホース接続側に移動可能な筒状のニップル２が摺動自在に収容されている。
【００１０】
ニップル２は、流体の通路２１を内周側に有する円筒状に形成され、第一筒状部２２とこの第一筒状部２２よりホース接続側で外径が小さい第二筒状部２３との間に、環状の鍔部２４を外周側に突設した構成にしている。第一筒状部２２は第二筒状部２３より厚肉に形成され、その端面２２ａに流体が作用すると、その流体圧によりニップル２がホース接続側に移動するようになっている。
【００１１】
第一筒状部２２の外周面２２ｂには、周方向に沿って環状の溝部２２ｃが形成され、その溝部２２ｃにＯリングよりなる環状のシール部材３が取り付られている。第二筒状部２３の外周面２３ａは、図１に示すように、縦断面が凹凸状に形成され、この外周面２３ａにホースＨを装着するようになっている。外周面２３ａにも溝部２３ｂが周方向に沿って環状に形成され、その溝部２３ｂにＯリングよりなる環状のシール部材４が配置してあり、取り付けられたホースＨとニップル２との間のシールを確保するようにしている。
【００１２】
ケーシング１の収容空間部１１は、ニップル２の第一筒状部２２を摺動可能に収容する第一収容部１２と、第一収容部１２より径が大きく鍔部２４を移動可能に収容する鍔部収容部１４と、鍔部収容部１４より径が小さくかつ第一収容部１２より径が大きい、第二筒状部２３を移動可能に収容する第二収容部１３を有している。
【００１３】
鍔部収容部１４と第二収容部１３との間には、ホース接続側に位置する第二収容部１３側ほど径が小さくなるようにケーシング１（ソケット１Ｂ）の内周面をテーパ状にした傾斜収容部１５が設けられている。上述した第一筒状部２２の外周面２２ｂの溝部２２ｃに配設した環状のシール部材３が、第一収容部１２の内周面１２ａに当接し、ケーシング１（ヘッド部１Ａ）とニップル２との間をシールするようにしている。ケーシング１のホース接続側とは反対側の外周面（ヘッド部１Ａの外周面）には、流体を供給する機器に接続するためのネジ部１６が設けられている。
【００１４】
第二収容部１３に続くホースＨの挿入口１７は、図２，３に示すように、接続されたホースＨとの間に隙間部Ｘを介在するように構成され、この隙間部Ｘに不図示の金属製円筒体を挿入し、後述するコレット６を図の左方向に押し込むことにより、ニップル２を図１の状態に戻し、ホースＨを容易に取り外すことができるようになっている。
【００１５】
ニップル２の第二筒状部２３の外周側には、ホース挿入空間５を介して、ホース挿入空間５に挿入されたホースＨを緊締する縮径可能な円筒状のコレット６を配置している。コレット６は、縮径可能な円筒状のコレット本体６ａに鍔部６ｂを連接して構成されている。コレット本体６ａの内周面６ｃは、図５にその詳細を示すように、凹凸状に形成され、ホース挿入空間５に挿入されたホースＨを凹凸状に形成した第二筒状部２３の外周面２３ａとの間で強固に保持できるようにしている。
【００１６】
コレット本体６ａの外周側には、コレット本体６ａの外周面とケーシング１の収容空間部１１の内周面１１ａとの間に、コレット６を押圧する変形可能な円筒状の弾性部材７が設けられている。弾性部材７は、ゴムから構成され、大径の鍔部収容部１４から傾斜収容部１５を介して小径の第二収容部１３にわたって配置され、この弾性部材７を収容する空間部は、ニップル２が流体圧によりホース接続側に移動した際に、弾性部材７がコレット６を押圧する押圧力を増大させる形状になっている。
【００１７】
上述したホース用継手によれば、図２に示すように、ホースＨをホース挿入空間５に挿入すると、弾性部材７により押圧されて縮径するコレット６によりホースＨが把持される。そのため、流体圧力が低い状態で使用した際に流体圧によりニップル２がホース接続側に移動しなくても、ホースＨはコレット６とニップル２との間にある一定の緊締力で保持された状態となるので、ホースＨの接続部分から流体漏れを起こすことがない。
【００１８】
図３に示すように、矢印方向から圧力流体が継手内を流れると、流体圧によりニップル２が、ホースＨ及びコレット６と共にホース接続側に移動する。それに伴い、弾性部材７が小径の第二収容部１３側に移動し、反発弾性力を次第に増大させながらコレット６を押圧する。その結果、コレット６が縮径量を次第に増加させながら縮径し、ホースＨを強力に緊締する。ニップル２は、コレット６の鍔部６ｂの外周端が収容空間部１１の傾斜収容部１５の内周面に突き当たったところで停止する。
【００１９】
このように第二収容部１３側に移動した弾性部材７は、圧力流体が断の状態になっても図３に示すコレット６の押圧状態を維持し、元の状態に戻ることがないので、圧力流体が断続的に流れても従来のようにニップル２が移動するようなことはない。従って、流体圧の作用、不作用時にコレット６が拡縮することがないため、コレット６が緊締するホース外面Ｈ１の損傷を防ぐことができる。
【００２０】
図４は、本発明のホース用継手の他の例を示し、継手にホースＨを接続した上記図３に相当する図である。この実施形態では、上述した弾性部材７を、ゴムに代えて、縦断面をＶ字状にした環状の板バネ部材から構成している。図では、Ｖ字状の板バネ部材が第二収容部１３側に移動して、細長い断面Ｕ字状に弾性変形している。このような断面Ｖ字状の板バネ部材からなる弾性部材７を用いても、上記と同様の効果を得ることができる。この板バネ部材は、縦断面Ｕ字状のものであってもよい。
【００２１】
【発明の効果】
上述したように本発明のホース用継手は、コレットとケーシングの内周面との間にコレットを押圧する変形可能な弾性部材を介設し、該弾性部材を収容する空間部をニップルが流体圧によりホース接続側に移動した際に、弾性部材がコレットを押圧する押圧力を増大させる形状にしたので、流体圧力が低い状態で使用してもホース接続部での流体漏れの心配がなく、また圧力流体が断続的に流れる場合であっても、緊締するコレットによりホース外面に損傷を招くことがない。
【図面の簡単な説明】
【図１】本発明のホース用継手の一例を示す半断面図である。
【図２】図１のホース用継手において、ホースを挿入した状態を示す半断面図である。
【図３】図２のホース用継手において、ホースを接続した状態を示す半断面図である。
【図４】本発明のホース用継手の他の例をホースを接続した状態で示す半断面図である。
【図５】コレットの上側を断面で示す拡大正面図である。
【符号の説明】
１  ケーシング                  １Ａ  ヘッド部
１Ｂ  ソケット                  ２  ニップル
５  ホース接続空間              ６  コレット
７  弾性部材                    １１  収容空間部
１１ａ  内周面                  １２  第一収容部
１３  第二収容部                １４  鍔部収容部
１５  傾斜収容部                ２２  第一筒状部
２３  第二筒状部                ２４  鍔部
Ｈ  ホース
【図１】
0003626977.tif 000002
【図２】
0003626977.tif 000003
【図３】
0003626977.tif 000004
【図４】
0003626977.tif 000005
【図５】
0003626977.tif 000006